(57)【要約】【課題】２つのカバーの接続安定性を確保でき、且つ、カバーの内側に配置される部品と２つのカバーの係合構造との干渉を抑えることができる電子機器を提供する。【解決手段】電子機器１は、その上面を構成する右カバー２０Ｒと左カバー２０Ｌとを有している。右カバー２０Ｒは、その縁に、弾性変形可能な第１係合部３０を有している。第１係合部３０は電子機器１の上面に沿っている方向において弾性変形可能となっている。左カバー２０Ｌは、その縁に、第１係合部３０に係合する第２係合部４０を有している。【選択図】図３
2014239166.tif 000002
【特許請求の範囲】
【請求項１】
電子機器の第１の外面を構成している第１カバーと、
前記第１カバーとともに前記第１の外面を構成しており、且つ前記第１の外面に沿った第１の方向において前記第１カバーの縁から分離可能な第２カバーと、
前記第１カバーの縁に形成され、弾性変形可能な第１係合部と、
前記第２カバーの縁に形成され、前記第１係合部に係合可能な第２係合部と、を備え、
前記第１係合部は、前記第１の方向に交差し且つ前記第１の外面に沿っている第２の方向において弾性変形可能となっている、
ことを特徴とする電子機器。    
【請求項２】
請求項１に記載の電子機器において
前記第１係合部は、
前記第２カバーが前記第１カバーに近づくときに前記第２カバーの第２係合部が当たる第１当接面と、
前記第２カバーが前記第１カバーから離れるときに前記第２カバーの第２係合部が当たる第２当接面と、
前記第１当接面に作用する力により前記第２の方向において弾性的に傾く第１弾性傾斜部と、
前記第１弾性傾斜部と繋がっており、前記第２当接面に作用する力により前記第２の方向において弾性的に傾く第２弾性傾斜部と、を含む、
ことを特徴とする電子機器。
【請求項３】
請求項２に記載の電子機器において、
前記第２弾性傾斜部と前記第１弾性傾斜部は屈曲部を介して接続され、
前記第１当接面と前記第２当接面は前記第１弾性傾斜部に設けられ、
前記第１当接面の角度は、前記第１当接面に作用する力により第１弾性傾斜部の基部を中心とするモーメントが発生するように設定され、
前記第２当接面の角度は、前記第２当接面に作用する力により前記第２弾性傾斜部の基部を中心とするモーメントが発生するように設定されている、
ことを特徴とする電子機器。
【請求項４】
請求項１乃至３のいずれかに記載の電子機器において、
前記第１カバーは、前記第２の方向において互いに反対向きである２方向のうち一の方向に弾性変形可能な第１係合部と、前記２方向のうち他の方向に弾性変形可能な第１係合部とを有している、
ことを特徴とする電子機器。
【請求項５】
請求項４に記載の電子機器において、
前記第１カバーは、前記第２の方向において互いに反対向きである前記２方向のうち一の方向に弾性変形可能な複数の第１係合部と、前記２方向のうち他の方向に弾性変形可能な複数の第１係合部とを有している、
ことを特徴とする電子機器。    
【請求項６】
請求項１乃至５のいずれに記載の電子機器において、
前記第１のカバーと前記第２のカバーのうち少なくとも一方のカバーは、電子機器が備える交換可能な部品を覆っており、
前記少なくとも一方のカバーは、前記電子機器の第１の外面を構成する第１面部と、前記電子機器の第２の外面を構成する第２面部と、電子機器の第３の外面を構成する第３面部とを有している、
ことを特徴とする電子機器。
【請求項７】
請求項１乃至６のいずれかに記載の電子機器において、
前記第１カバーは、前記第２カバーの下側まで延び前記第２カバーを支持する複数の第１張り出し部を有し、
前記第２カバーは、前記第１カバーの下側まで延び前記第１カバーを支持する複数の第２張り出し部を有し、
前記複数の第１張り出し部と前記複数の第２張り出し部は第１カバーと第２のカバーの縁に沿った方向において交互に配置されている、
ことを特徴とする電子機器。
【請求項８】
請求項７に記載の電子機器において、
前記複数の第１張り出し部と前記複数の第２張り出し部のうち少なくとも１つの張り出し部は電子機器の本体に固定される取付部を有している、
ことを特徴とする電子機器。
【発明の詳細な説明】
【技術分野】
【０００１】
本発明は２つのカバーによって外面が構成される電子機器に関する。
【背景技術】
【０００２】
下記特許文献１にはゲーム装置やオーディオ・ビジュアル機器として機能する電子機器が開示されている。電子機器のなかにはユーザが交換可能な部品を備えるものがある。例えば、特許文献１の電子機器はハードディスクドライブを備えている。ユーザは、必要に応じて容量がより大きなハードディスクドライブを利用したいと考える場合がある。
【先行技術文献】
【特許文献】
【０００３】
【特許文献１】米国特許出願公開第２０１０／０２５４０８０号明細書
【発明の概要】
【発明が解決しようとする課題】
【０００４】
電子機器の外面の１つ（例えば、上面）を２つのカバーで構成し、ハードディスクドライブなどの交換可能な部品を一方のカバーで覆うことが検討されている。この構造によれば、一方のカバーを取り外すことにより電子機器の内部を大きく露出させることができるので、部品の交換作業が容易となる。２つのカバーの接続方法としては、カバーの内面に形成した係合部によって２つのカバーを接続することが検討されている。ところが、係合構造によっては、電子機器が備える部品と係合部とが干渉し易くなる。
【０００５】
本発明の目的の１つは、カバーの内側に配置される部品と２つのカバーの係合構造との干渉を抑えることができる電子機器を提供することにある。
【課題を解決するための手段】
【０００６】
本発明に係る電子機器は、電子機器の第１の外面を構成している第１カバーと、前記第１カバーとともに前記第１の外面を構成しており、且つ前記第１の外面に沿った第１の方向において前記第１カバーの縁から分離可能な第２カバーと、前記第１カバーの縁に形成され、弾性変形可能な第１係合部と、前記第２カバーの縁に形成され、前記第１係合部に係合可能な第２係合部と、を備える。前記第１係合部は、前記第１の方向に交差し且つ前記第１の外面に沿っている第２の方向において弾性変形可能である。
【０００７】
本発明によれば、第１係合部は第１の外面に沿っている第２の方向において弾性変形するので、電子機器が内蔵する部品と、２つのカバーの係合構造との干渉を抑えることができる。
【図面の簡単な説明】
【０００８】
【図１】本発明の一実施形態に係る電子機器の斜視図である。
【図２】電子機器の分解斜視図である。
【図３】電子機器が備えるカバーの平面図である。
【図４】カバーの係合構造を説明するための図である。
【図５】カバーの係合構造を説明するための図である。
【図６】カバーが接続している状態でのそれらの縁の断面図である。
【図７】電子機器の後側を示す斜視図である。
【図８】左カバーの下面を示す斜視図である。
【図９】係合部の変形例を示す図である。
【発明を実施するための形態】
【０００９】
以下、本発明の一実施形態について図面を参照しながら説明する。図１は本発明の実施形態に係る電子機器１の斜視図である。図２は電子機器１の分解斜視図である。図３は電子機器１が備える右カバー２０Ｒと左カバー２０Ｌの平面図である。以下の説明では、これらの図１に示すＸ１及びＸ２をそれぞれ左方向及び右方向とし、Ｙ１及びＹ２をそれぞれ前方及び後方とし、Ｚ１及びＺ２をそれぞれ上方及び下方とする。
【００１０】
電子機器１はゲーム装置やオーディオ・ビジュアル機器として機能するエンタテインメント装置である。電子機器１は、ゲームプログラムの実行により生成した動画像データや、光ディスクなどの記録媒体から取得した映像・音声データ及び／又はネットワークを通して取得した映像・音声データをテレビジョンなどの表示装置に出力する。図１に示すように、電子機器１の前面には、光ディスクを挿入するための挿入口２と、コントローラなどの装置を接続するためのコネクタ３とが設けられている。また、電子機器１の前面には、電源ボタン４ｂと、光ディスクの取り出しボタン４ａとが設けられている。
【００１１】
図２に示すように、電子機器１は、その外面を構成する部材として、上カバー２０と、下カバー６０とを有している。ここで説明する例の電子機器１は、さらにフレーム５０を有している。フレーム５０には、回路基板５や、電源ユニット（不図示）、光ディスクの駆動装置など、電子機器１が内蔵する種々の装置が取り付けられる。上カバー２０と、下カバー６０は、フレーム５０の上側と下側をそれぞれ覆い、フレーム５０に取り付けられている。
【００１２】
上カバー２０は電子機器１の上面を構成している。上カバー２０は右カバー２０Ｒ（第１カバー）と左カバー２０Ｌ（第２カバー）とを有し、それらは電子機器１の上面に沿った方向（すなわち、カバー２０Ｒ，２０Ｌの上面に沿った方向）において分離可能となっている。ここで説明する例において、上面に沿った方向とは左右方向である。左カバー２０Ｌは、右カバー２０Ｒが電子機器１の本体（すなわちフレーム５０）に固定されている状態で、右カバー２０Ｒの縁から左方向に分離可能となっている。後において詳説するように、左カバー２０Ｌの縁と右カバー２０Ｒの縁とには、互いに係合可能な係合部４０，３０がそれぞれ形成されている。左カバー２０Ｌは係合部４０，３０の係合を解消することにより、右カバー２０Ｒから分離し、電子機器１から取り外すことができる。
【００１３】
フレーム５０の上側にはユーザが交換可能な部品が配置されている。交換可能な部品は、例えば図２に示すハードディスクドライブ６である。回路基板５はフレーム５０の上側に取り付けられている。ハードディスクドライブ６は回路基板５に設けられたコネクタ（不図示）に接続されている。ハードディスクドライブ６は電子機器１の左側部分に配置され、左カバー２０Ｌによって覆われている。ここで説明する例のハードディスクドライブ６は特に前側に配置されている。ユーザは左カバー２０Ｌを取り外すことにより、ハードディスクドライブ６を交換できる。なお、ユーザが交換可能な部品はハードディスクドライブ６に限られない。
【００１４】
図３に示すように、左カバー２０Ｌと右カバー２０Ｒは互いに向き合う縁をそれぞれ有している。すなわち、左カバー２０Ｌの右縁と右カバー２０Ｒの左縁は互いに向き合っている。それらの縁は前後方向において直線的に延びている。左カバー２０Ｌには、その縁に沿って並ぶ複数の係合部４０が設けられている。ここで説明する例では、左カバー２０Ｌの下面に複数の張り出し部４５が形成されている。各張り出し部４５の端部が係合部４０として機能している（ここでの端部とは左カバー２０Ｌの縁の延伸方向（前後方向）での端部である）。すなわち、張り出し部４５の前端と後端とに係合部４０が設けられている。
【００１５】
右カバー２０Ｒは、その縁に沿って並ぶ、弾性変形可能な複数の係合部３０を有している。係合部３０は、左右方向において交差し且つ電子機器１の上面に沿った方向において、弾性変形可能である。ここで説明する例では、電子機器１の上面に沿った方向とは前後方向である。すなわち、係合部３０は、前後方向（右カバー２０Ｒの縁の延伸方向）に弾性変形可能である。係合部３０が弾性変形することにより、係合部３０と左カバー２０Ｌの係合部４０との係合及び係合の解消が許容される（以下において係合部３０を第１係合部と称し、係合部４０を第２係合部と称する）。
【００１６】
弾性変形の向きが互いに反対である２つの第１係合部３０は対をなしている。図３を参照すると、第１係合部３０−１と第１係合部３０−２は対をなしている（以下においてこの対を係合部対と称する）。第１係合部３０−１は、カバー２０Ｒの縁の延伸方向と平行で向きが互いに反対である２方向のうち一の方向に弾性変形し、第１係合部３０−２は２方向のうち他の方向に弾性変形する。具体的には、第１係合部３０−１は前方に弾性変形し、第１係合部３０−２は後方に弾性変形する。右カバー２０Ｒには、前後方向において並ぶ複数の係合部対が設けられている。
【００１７】
右カバー２０Ｒの縁には、前後方向において並ぶ複数の張り出し部３５が形成されている。第１係合部３０−１は張り出し部３５の後側に設けられ、第１係合部３０−２は張り出し部３５の前側に設けられている。以下において、各張り出し部３５の後側に位置する第１係合部３０−１と、各張り出し部３５の前側に位置する第１係合部３０−２とを区別しない説明においては、これらを単に第１係合部３０と称する。なお、図３の例では、複数の第１係合部３０のうち最前に位置する第１係合部３０には、対をなす第１係合部３０が設けられていない。
【００１８】
左カバー２０Ｌの張り出し部４５の位置は、右カバー２０Ｒの張り出し部３５に対して前後方向においてずれている。したがって、張り出し部４５の前側に位置する第２係合部４０は、張り出し部３５の後側の第１係合部３０−１と係合する。張り出し部４５の後側に位置する第２係合部４０は、張り出し部３５の前側に位置する第１係合部３０−２と係合する。張り出し部３５の後側の第１係合部３０−１が第２係合部４０から受ける前後方向の力と、張り出し部３５の前側の第１係合部３０−２が第２係合部４０から受ける前後方向の力は、互いに反対向きである。左カバー２０Ｌの縁と右カバー２０Ｒの縁とが接続している状態（第１係合部３０と第２係合部４０とが係合している状態）では、張り出し部４５と張り出し部３５は、カバー２０Ｌ，２０Ｒの縁の下側に位置し、前後方向（縁の延伸方向）において交互に並ぶ。張り出し部４５，３５の数や、前後方向における張り出し部３５の長さ（張り出し部３５に設けられた２つの第１係合部３０間の距離）、前後方向における張り出し部４５の長さ（張り出し部４５に設けられた２つの第２係合部４０間の距離）を調節することで、左カバー２０Ｌと右カバー２０Ｒの接続及び分離に要する力を調整できる。
【００１９】
このように、第１係合部３０は上下方向ではなく、前後方向において弾性変形する。そのため、左カバー２０Ｌを右カバー２０Ｒに接続するときに、第１係合部３０と、カバー２０Ｒ，２０Ｌが覆う部品との干渉を抑えることができる。また、右カバー２０Ｒには、複数の係合部対が設けられているので、右カバー２０Ｒと左カバー２０Ｌの前後方向の幅を大きくしながら、それらの接続強度を向上できる。
【００２０】
図４及び図５はカバー２０Ｒ，２０Ｌの係合構造を説明するための図である。この図では、カバー２０Ｒ，２０Ｌの下面の縁が示されている。図４では係合部３０，４０が係合する直前の様子が示され、図５では係合部３０，４０が係合した後の様子が示されている。
【００２１】
図４に示すように、第１係合部３０は第１弾性傾斜部３１と第２弾性傾斜部３２とを有している。第１弾性傾斜部３１は第１当接面３１ａと第２当接面３１ｂとを有している。第１当接面３１ａと第２当接面３１ｂは、左カバー２０Ｌが右カバー２０Ｒに対して相対移動する際の第２係合部４０の移動のコースＬ１に位置している。第１当接面３１ａは、左カバー２０Ｌが右カバー２０Ｒに近づくときに第２係合部４０が当たる面である（図４参照）。第２当接面３０ｂは、第１係合部３０と第２係合部４０とが係合している状態で左カバー２０Ｌが右カバー２０Ｒから離れる方向に動くときに第２係合部４０が当たる面である（図５参照）。ここで第１係合部３０と第２係合部４０とが係合している状態とは、２つのカバー３０，４０の縁が当接している状態、言い換えると、隣接する２つの張り出し部３５の間に張り出し部４５が嵌まっている状態である。上述したように、張り出し部４５の端部が第２係合部４０として機能している。ここで説明する例の第２係合部４０は、張り出し部４５の端面である当接部４０ａと、張り出し部４５の角である当接部４０ｂとを有している。第１係合部３０の第１当接面３１ａには当接部４０ａが当接し、第２当接面３１ｂには当接部４０ｂが当接する（図５参照）。
【００２２】
第１弾性傾斜部３１は、第２係合部４０が第１当接面３１ａを押すときに前後方向において傾くように形成されている。すなわち、図４の矢印Ｄ１が示すように、張り出し部３５の前側に設けられた第１係合部３０−２の第１弾性傾斜部３１は後方に傾くように形成されている。反対に、張り出し部３５の後側に設けられた第１係合部３０−１の第１弾性傾斜部３１は前方に傾くように形成されている。第２弾性傾斜部３２は、第２係合部４０が第２当接面３１ｂを押すときに、前後方向において傾くように形成されている。すなわち、図５の矢印Ｄ２が示すように、張り出し部３５の前側に設けられた係合部３０−２の第２弾性傾斜部３２は、後方に傾くように形成されている。反対に、張り出し部３５の後側に設けられた第１係合部３０−１の第２弾性傾斜部３２は、前方に傾くように形成されている。
【００２３】
このように、第１係合部３０には２つの弾性傾斜部３１，３２が設けられている。これにより、第１係合部３０に１つの弾性傾斜部しか設けられていない場合に比べて、係合部３０，４０の係合に要する力と係合の解消に要する力のバランスが調整し易くなる。例えば、第２弾性傾斜部３２の弾性率を維持しながら、第１弾性傾斜部３１の弾性率を下げる場合、係合の解消に要する力の変化を抑えながら、係合に要する力を軽減できる。
【００２４】
ここで説明する例の第１係合部３０は、具体的には次のように構成されている。図４に示すように、第２弾性傾斜部３２は、その一方の端部に、右カバー２０Ｒの縁に接続されている基部３２ａを有している。第２弾性傾斜部３２は、基部３２ａを中心にして弾性的に傾くことができる。第１弾性傾斜部３１は、第２弾性傾斜部３２の他方の端部に接続されている基部３１ｃを有している。第１弾性傾斜部３１と第２弾性傾斜部３２は略Ｕ字形状に配置されている。すなわち、第１弾性傾斜部３１の基部３１ｃは屈曲部３３を介して第２弾性傾斜部３２に接続されている。ここで説明する例では、第２弾性傾斜部３２は右カバー２０Ｒの縁から離れる方向（左方向）に延び、第１弾性傾斜部３１は第２弾性傾斜部３２の端部から右カバー２０Ｒの縁に向かって延びている。第１弾性傾斜部３１と第２弾性傾斜部３２は、カバー２０Ｒ，２０Ｌが構成する平面（電子機器１の上面）と略平行に形成されている。ここで説明する例では、第２弾性傾斜部３２は、その初期状態（第２係合部４０から当接面３１ａ，３１ｂに力が作用していない状態）において、右カバー２０Ｒの縁に対して直交する方向（左右方向）に対して斜めに延びている。同様に、第１弾性傾斜部３１は、その初期状態（第２係合部４０から当接面３１ａ，３１ｂに力が作用していない状態）において、右カバー２０Ｒの縁に対して直交する方向（左右方向）に対して斜めに延びている。対をなす２つの第１係合部３０の第１弾性傾斜部３１は、それらの間隔が右カバー２０Ｒの縁に向かって徐々に大きくなるように傾斜している。同様に、対をなす２つの第１係合部３０の第２弾性傾斜部３２は、それらの間隔が右カバー２０Ｒの縁に向かって徐々に大きくなるように傾斜している。第１弾性傾斜部３１と第２弾性傾斜部３２は互いに略平行となっている。
【００２５】
第１弾性傾斜部３１は、第２弾性傾斜部３２とは反対側の側面に、第１当接面３１ａを有している。第１当接面３１ａは第１弾性傾斜部３１の延伸方向と略平行となっている。そのため、図４に示すように、第２係合部４０が第１当接面３１ａを力Ｆ１で押すと、力Ｆ１に応じたモーメントが第１弾性傾斜部３１の基部３１ｃの周りに生じる。そのため、第１弾性傾斜部３１は基部３１ｃを中心にして弾性的に傾斜する。第２係合部４０は第１弾性傾斜部３１の端部側の位置で第１当接面３１ａに当たるように形成されている。これにより、係合部３０，４０の係合に要する力を軽減できる。
【００２６】
第２弾性傾斜部３２の基部３２ａは、第１当接面３１ａに対して概ね力Ｆ１の方向に位置している。換言すると、第１当接面３１ａと第２係合部４０との接点を通る、第１当接面３１ａに垂直な直線は、基部３２ａを通っている。そのため、力Ｆ１による基部３２ａ周りのモーメントが発生が、抑えられている。したがって、係合部３０，４０の係合に要する力（右カバー２０Ｒと左カバー２０Ｌとの接続に要する力）は、主に、第１弾性傾斜部３１の長さや、基部３１ｃの太さ、第１当接面３１ａの角度（移動コースＬ１に対する角度）によって調整できる。
【００２７】
第２当接面３１ｂは、第２弾性傾斜部３２の基部３２ａから離れて位置している。また、図５に示すように、移動コースＬ１に対する第２当接面３１ｂの角度は、第２係合部４０が第２当接面３１ｂを押したときに直線Ｌ２に垂直な力Ｆ２ａが発生するように設定されている。直線Ｌ２は、基部３２ａと、第２当接面３１ｂと第２係合部４０との接点とを結ぶ直線である。力Ｆ２ａは、第２係合部４０が第２当接面３１ｂを押す力Ｆ２の、直線Ｌ２に垂直な方向の成分である。そのため、第２係合部４０が第２当接面３１ｂを押したときに基部３２ａ周りのモーメントが発生し、、矢印Ｄ２で示すように第２弾性傾斜部３２が弾性的に傾く。したがって、右カバー２０Ｒと左カバー２０Ｌとの分離に要する力は、右カバー２０Ｒと左カバー２０Ｌの接続に要する力とは異なり、第２弾性傾斜部３２の基部３２ａから第２当接面３１ｂまでの距離や、基部３２ａの太さ、移動コースＬ１に対する第２当接面３１ｂの角度によって調整できる。したがって、左カバー２０Ｌと右カバー２０Ｒとの分離に要する力（係合部３０，４０の係合の解消に要する力）と、左カバー２０Ｌと右カバー２０Ｒとの接続に要する力（係合に要する力）のバランスが調整し易くなる。
【００２８】
図５の例では、移動コースＬ１に対する第２当接面３１ｂの角度は、第２係合部４０が第２当接面３１ｂを押したときに力成分Ｆ２ｂが発生するように設定されている。力成分Ｆ２ｂは力Ｆ２の成分である。力成分Ｆ２ｂは第２当接面３１ｂと第２係合部４０との接点と、第１弾性傾斜部３１の基部３１ｃとを結ぶ直線Ｌ３に対して垂直である。この力成分Ｆ２ｂによって、第１弾性傾斜部３１の基部３１ｃを中心とする比較的小さなモーメントが発生する。そのため、後の例で説明するように、第２弾性傾斜部３２が無い構造においても、第１係合部３０と第２係合部４０の係合は解消され得る。
【００２９】
左カバー２０Ｌに形成された張り出し部４５は、隣接する２つの第１係合部３０の間に配置される。第１弾性傾斜部３１は、隣接する２つの第１係合部３０が備える第１弾性傾斜部３１の前後方向での間隔Ｗ１（図３）が端部から基部３１ｃに向かって徐々に大きくなるように傾斜している。そのため、左カバー２０Ｌを右カバー２０Ｒに接続するときに、張り出し部４５は２つの第１係合部３０の第１弾性傾斜部３１によって案内される。また、左カバー２０Ｌに形成された張り出し部４５は、その端面に当接部４０ａを有している（図４又は図５参照）。当接部４０ａは、張り出し部４５の前後方向の幅が、右カバー２０Ｒに向かって小さくなるように傾斜している。これにより、左カバー２０Ｌを右カバー２０Ｒに接続するときに、張り出し部４５を２つの第１係合部３０の間に嵌めやすくなる。
【００３０】
図６は右カバー２０Ｒと左カバー２０Ｌとが接続している状態でのそれらの断面図である。同図の（ａ）の切断面は図３のａ−ａ線であり、（ｂ）の切断面は図３のｂ−ｂ線である。また、（ｃ）の切断面は図３のｃ−ｃ線である。なお、ここで説明する例では、図６に示すように、右カバー２０Ｒは２層構造を有している。すなわち、右カバー２０Ｒは、電子機器１の外面を構成する上側部材２０ａと、上側部材２０ａの下面に取り付けられる下側部材２０ｂとを有している。上述の張り出し部３５や第１係合部３０は下側部材２０ｂに形成されている。上側部材２０ａと下側部材２０ｂは例えば色において異なる。下側部材２０ｂは、左カバー２０Ｌと上側部材２０ａとの間に位置する部分２０ｃを有している。なお、右カバー２０Ｒは必ずしも２層構造を有していなくてもよい。
【００３１】
図６（ａ）に示すように、張り出し部４５は左カバー２０Ｌの下面に形成されている。張り出し部４５は略Ｌ字形状の断面を有している。張り出し部４５は左カバー２０Ｌの縁を越えて右カバー２０Ｒの下側まで延び、右カバー２０Ｒを支持している。図６（ｂ）に示すように、張り出し部３５は右カバー２０Ｒの縁を越えて左カバー２０Ｌの下側まで延び、左カバー２０Ｌを支持している。張り出し部４５，３５はカバー２０Ｌ，２０Ｒと平行に形成されている。
【００３２】
このように、張り出し部３５は左カバー２０Ｌの下側で左カバー２０Ｌを支持し、張り出し部４５は右カバー２０Ｒの下側で右カバー２０Ｒを支持している。そのため、２つのカバー２０Ｒ，２０Ｌのうち一方の上側を押した場合にそれらの間に隙間が発生することを、抑えることができる。また、張り出し部３５，４５の前側と後側のそれぞれに、互いに係合する係合部３０，４０が位置している。これにより、２つのカバー２０Ｒ，２０Ｌの間に隙間が発生することを、より効果的に抑えることができる。
【００３３】
右カバー２０Ｒに設けられた複数の張り出し部３５のうち少なくとも１つには、電子機器１の本体（この例ではフレーム５０）に固定される取付部が形成されている。図３に示す例では、前後方向における中心に位置する張り出し部３５−１と、最前に位置する張り出し部３５−２とに取付部３５ａ，３５ｂがそれぞれ設けられている。取付部３５ａ，３５ｂは螺子３６で電子機器１の本体（例えばフレーム５０）に固定されている。張り出し部３５−１，３５−２は上下方向（カバー２０Ｒ，２０Ｌの厚さ方向）に延びる壁部３５ｃを介して取付部３５ａ，３５ｂに接続されている（図６（ｃ）参照）。これにより、張り出し部３５−１，３５−２は壁部３５ｃによって支持されるので、カバー２０Ｒ，２０Ｌの上側を押した場合でも、それらが凹むことを抑えることができる。また、取付部３５ａ，３５ｂは張り出し部３５に設けられており、左カバー２０Ｌによって覆われる。すなわち、右カバー２０Ｒの電子機器１の本体への取付構造が露出することを抑えることができる。
【００３４】
図７は電子機器１の後側を示す斜視図である。図８は左カバー２０Ｌを下側から臨む斜視図である。
【００３５】
左カバー２０Ｌは、電子機器１の上面を構成し上述した第２係合部４０が形成されている上面部２１を有している。また、左カバー２０Ｌは、電子機器１の前面（上面の前縁に接続されている面）を構成する前面部２２と、電子機器１の側面（上面の左縁に接続されている面）を構成する側面部２４（図８参照）とを有している。そのため、左カバー２０Ｌを取り外したときに露出する部分が大きくなり、ハードディスクドライブ６の交換作業が行い易くなる。特にこの例では、左カバー２０Ｌは、電子機器１の後面（上面の後縁に接続されている面）を構成する後面部２３（図７参照）も有している。つまり、左カバー２０Ｌは下面と右側面とが開いた箱形である。これにより、ハードディスクドライブ６の交換作業がさらに行い易くなる。
【００３６】
図８に示すように、側面部２４の内面には、複数（図８において３つ）の係合部２４ａと、複数（図８において２つ）の位置決め部２４ｂとが形成されている（以下では係合部２４ａを第３係合部と称する）。第３係合部２４ａと位置決め部２４ｂは、側面部２４から内側に突出している。第３係合部２４ａはフレーム５０に係合している。具体的には、フレーム５０は左右の側壁部５１を有している（図２参照）。左右の側壁部５１には、左右方向の外側に張り出す張り出し部５１ａを有している。左カバー２０Ｌの側面部２４は、左の側壁部５１の張り出し部５１ａに沿って配置され、第３係合部２４ａは張り出し部５１ａの上縁に係合する。図８の例の第３係合部２４ａは上下方向に弾性変形できるように形成されている。フレーム５０の張り出し部５１ａには、位置決め部２４ｂに対応する位置に孔を有している。この孔は位置決め部２４ｂのサイズに対応している。位置決め部２４ｂが孔に嵌まることにより、側面部２４のがたつきが抑えられる。左カバー２０Ｌを右カバー２０Ｒに向けて右方向に動かすことにより、第２係合部４０は第１係合部３０に係合し、第３係合部２４ａ及び位置決め部２４ｂはフレーム５０に形成された孔にそれぞれ嵌まる。
【００３７】
上述したように、上面部２１に形成されている第２係合部４０は、電子機器１の本体（フレーム５０）に固定されている右カバー２０Ｒに係合し、側面部２４に形成されている係合部２４ａは電子機器１の本体（フレーム５０）に係合している。係合部４０，２４ａをこのようにレイアウトすることにより、左カバー２０Ｌを固定するための固定具（例えば螺子）の数を減らすことができる。ここで説明する例では、左カバー２０Ｌの固定に螺子などの固定具は利用されていない。したがって、係合部３０，４０との係合と第３係合部２４ａとフレーム５０との係合とを解消することにより、ユーザは左カバー２０Ｌを取り外すことができる。
【００３８】
なお、図７に示すように、下カバー６０と右カバー２０Ｒも電子機器１の後面を構成する後面部６１，２５をそれぞれ有している。下カバー６０と右カバー２０Ｒは、左カバー２０Ｌとは異なり螺子などの固定具によって電子機器１の本体に固定される。ここで説明する例では、下カバー６０の後面部６１には、後面部６１をフレーム５０に固定するための螺子が差し込まれる取付孔６１ｂが形成されている。右カバー２０Ｒの後面部２５には、後面部２５をフレーム５０に固定するための螺子が差し込まれる取付孔２５ｂが形成されている。
【００３９】
図７に示すように、下カバー６０の後面部６１には電子機器１の排気孔Ｐを露出させるための複数の開口６１ａが形成されている。右カバー２０Ｒの後面部２５には、電子機器１の後面に設けられているコネクタ８ｃ〜８ｆを露出させるための複数の開口２５ａが形成されている。左カバー２０Ｌの後面部２３にも複数の開口２３ａが形成されている。開口２３ａは必ずしも形成されていなくてもよい。
【００４０】
図９は第１係合部３０の変形例を示す図である。図９では、第１係合部１３０が第２係合部４０と係合している様子が示されている。
【００４１】
第１係合部１３０は、上述の第１係合部３０とは異なり、第２弾性傾斜部３２を有していない。第１弾性傾斜部１３１の基部１３１ｃは、張り出し部３５の前後方向の端部に接続されている。第１弾性傾斜部１３１は張り出し部３５から右カバー２０Ｒの縁に向かって延びている。第１弾性傾斜部１３１は、上述の第１当接面３１ａと第２当接面３１ｂとを有している。
【００４２】
第２係合部４０が第１当接面３１ａを押すと、その力に応じたモーメントが第１弾性傾斜部１３１の基部１３１ｃの周りに生じる。そのため、第１弾性傾斜部１３１は基部１３１ｃを中心にして弾性的に傾斜する。上述したように、第２当接面３１ｂの角度は、第２係合部４０が第２当接面３１ｂを押したときに力成分Ｆ２ｂが発生するように設定されている。この力Ｆ２ｂによって、第１弾性傾斜部１３１の基部１３１ｃを中心とするモーメントが発生する。そのため、第２係合部４０が第１当接面３１ａを押したときにも、第１弾性傾斜部１３１は基部１３１ｃを中心にして弾性的に傾斜する。
【００４３】
第２当接面３１ｂは、右カバー２０Ｒと左カバー２０Ｌとの接続に要する力（第２係合部４０と第１係合部１３０との係合に要する力）がそれらの分離に要する力（係合の解消に要する力）よりも小さくなるように、形成されている。第１当接面３１ａと第２係合部４０との接点と第１弾性傾斜部１３１の基部１３１ｃとを結ぶ直線と、第１当接面３１ａに対して垂直な線とがなす角度をθ１とする。第２当接面３１ｂと第２係合部４０との接点と、第１弾性傾斜部１３１の基部１３１ｃとを結ぶ直線と、第２当接面３１ｂに対して垂直な線とがなす角度をθ２とする。第２当接面３１ｂは、角度θ２が角度θ１よりも小さくなるように形成されている。これにより、右カバー２０Ｒと左カバー２０Ｌとの接続に要する力を、それらの分離に要する力よりも小さくできる。
【００４４】
以上説明したように、電子機器１は、その上面を構成する右カバー２０Ｒと左カバー２０Ｌとを有している。右カバー２０Ｒは、その縁に、弾性変形の向きが互いに反対である２つの第１係合部３０，１３０を含む複数の係合部対を有している。第１係合部３０，１３０は電子機器１の上面に沿っている方向、具体的には前後方向において弾性変形可能となっている。左カバー２０Ｌは、その縁に、複数の第２係合部４０を有している。第２係合部４０は第１係合部３０，１３０に係合可能である。この電子機器１によれば、右カバー２０Ｒの縁に複数の係合部対が設けられるので、２つのカバーの接続安定性を確保できる。また、第１係合部は第１の外面に沿っている第２の方向において弾性変形するので、電子機器が内蔵する部品と、２つのカバーの係合構造との干渉を抑えることができる。
【００４５】
なお、本発明は以上説明した電子機器１に限られず、種々の変更が可能である。
【００４６】
例えば、張り出し部３５は必ずしも右カバー２０Ｒに形成されていなくてもよい。
【００４７】
また、第１係合部３０の形状は以上説明したものに限られない。例えば、第２弾性傾斜部３２の基部は張り出し部３５に接続されていてもよい。そして、第２弾性傾斜部３２は、右カバー２０Ｒの縁に向かって延び、第１弾性傾斜部３１は、第２弾性傾斜部３２の端部から右カバー２０Ｒの縁から離れる方向に延びてもよい。つまり、第１係合部３０は、右カバー２０Ｒの縁から離れる方向に開いた略Ｕ字形状でもよい。
【００４８】
左カバー２０Ｌに第１係合部３０が形成され、右カバー２０Ｒに第２係合部４０が形成されてもよい。
【００４９】
左カバー２０Ｌの固定に螺子が利用されてもよい。
【００５０】
左カバー２０Ｌは前面部２２、側面部２４、又は後面部２３を有していなくてもよい。
【符号の説明】
【００５１】
１  電子機器、６  ハードディスクドライブ、２０  上カバー、２０Ｌ  左カバー（第２カバー）、２０Ｒ  右カバー（第１カバー）、２１  上面部、３０，１３０  第１係合部、３１  第１弾性傾斜部、３５ａ，３５ｂ  取付部、４０  第２係合部、５０  フレーム。
【図１】
2014239166.tif 000003
【図２】
2014239166.tif 000004
【図３】
2014239166.tif 000005
【図４】
2014239166.tif 000006
【図５】
2014239166.tif 000007
【図６】
2014239166.tif 000008
【図７】
2014239166.tif 000009
【図８】
2014239166.tif 000010
【図９】
2014239166.tif 000011
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
電子機器の第１の外面を構成している第１カバーと、
前記第１カバーとともに前記第１の外面を構成しており、且つ前記第１の外面に沿った第１の方向において前記第１カバーの縁から分離可能な第２カバーと、
前記第１カバーの縁に形成され、弾性変形可能な第１係合部と、
前記第２カバーの縁に形成され、前記第１係合部に係合可能な第２係合部と、を備え、
前記第１係合部は、前記第１の方向に交差し且つ前記第１の外面に沿っている第２の方向において弾性変形可能となっている、
ことを特徴とする電子機器。
【請求項２】
請求項１に記載の電子機器において
前記第１係合部は、
前記第２カバーが前記第１カバーに近づくときに前記第２カバーの第２係合部が当たる第１当接面と、
前記第２カバーが前記第１カバーから離れるときに前記第２カバーの第２係合部が当たる第２当接面と、
前記第１当接面に作用する力により前記第２の方向において弾性的に傾く第１弾性傾斜部と、
前記第１弾性傾斜部と繋がっており、前記第２当接面に作用する力により前記第２の方向において弾性的に傾く第２弾性傾斜部と、を含む、
ことを特徴とする電子機器。
【請求項３】
請求項２に記載の電子機器において、
前記第２弾性傾斜部と前記第１弾性傾斜部は屈曲部を介して接続され、
前記第１当接面と前記第２当接面は前記第１弾性傾斜部に設けられ、
前記第１当接面の角度は、前記第１当接面に作用する力により第１弾性傾斜部の基部を中心とするモーメントが発生するように設定され、
前記第２当接面の角度は、前記第２当接面に作用する力により前記第２弾性傾斜部の基部を中心とするモーメントが発生するように設定されている、
ことを特徴とする電子機器。
【請求項４】
請求項１乃至３のいずれかに記載の電子機器において、
前記第１カバーは、前記第２の方向において互いに反対向きである２方向のうち一の方向に弾性変形可能な第１係合部と、前記２方向のうち他の方向に弾性変形可能な第１係合部とを有している、
ことを特徴とする電子機器。
【請求項５】
請求項４に記載の電子機器において、
前記第１カバーは、前記第２の方向において互いに反対向きである前記２方向のうち一の方向に弾性変形可能な複数の第１係合部と、前記２方向のうち他の方向に弾性変形可能な複数の第１係合部とを有している、
ことを特徴とする電子機器。
【請求項６】
請求項１乃至５のいずれに記載の電子機器において、
前記第１のカバーと前記第２のカバーのうち少なくとも一方のカバーは、電子機器が備える交換可能な部品を覆っており、
前記少なくとも一方のカバーは、前記電子機器の第１の外面を構成する第１面部と、前記電子機器の第２の外面を構成する第２面部と、電子機器の第３の外面を構成する第３面部とを有している、
ことを特徴とする電子機器。
【請求項７】
請求項１乃至６のいずれかに記載の電子機器において、
前記第１カバーは、前記第２カバーの下側まで延び前記第２カバーを支持する複数の第１張り出し部を有し、
前記第２カバーは、前記第１カバーの下側まで延び前記第１カバーを支持する複数の第２張り出し部を有し、
前記複数の第１張り出し部と前記複数の第２張り出し部は第１カバーと第２のカバーの縁に沿った方向において交互に配置されている、
ことを特徴とする電子機器。
【請求項８】
請求項７に記載の電子機器において、
前記複数の第１張り出し部と前記複数の第２張り出し部のうち少なくとも１つの張り出し部は電子機器の本体に固定される取付部を有している、
ことを特徴とする電子機器。
【請求項９】
電子機器に取り付けられている固定カバーとともに電子機器の第１の外面を構成するための取り外し可能カバーであって、
電子機器の前記第１の外面に沿った第１の方向において前記固定カバーの縁に対して合体するための縁と、
前記取り外し可能カバーの前記縁に形成され、前記固定カバーの前記縁に形成されている弾性変形可能な第１係合部に係合するための第２係合部とを有し、
前記第２係合部は、前記第１の方向に交差し且つ前記第１の外面に沿っている方向に向いており、前記第１の外面に沿っている方向において前記第１係合部を弾性変形させるための当接部を有している、
ことを特徴とする電子機器の取り外し可能カバー。
【請求項１０】
請求項９に記載の電子機器の取り外し可能カバーにおいて、
前記取り外し可能カバーの前記縁には、前記固定カバーの下側まで延びる、前記固定カバーを支持するための複数の張り出し部が形成され、
前記取り外し可能カバーの前記縁は、前記固定カバーの前記縁に形成されている複数の張り出し部によって支持される部分を有し、
前記取り外し可能カバーの前記複数の張り出し部は、前記２つのカバーの前記縁に沿った方向において前記固定カバーの前記複数の張り出し部と交互に配置される、
ことを特徴とする電子機器の取り外し可能カバー。
【請求項１１】
請求項１０に記載の電子機器の取り外し可能カバーにおいて、
前記取り外し可能カバーの前記複数の張り出し部のそれぞれは、前記取り外し可能カバーの前記縁に沿った方向における一方側と他方側とに、前記係合部を有している、
ことを特徴とする電子機器の取り外し可能カバー。
【請求項１２】
請求項９に記載の電子機器の取り外し可能カバーにおいて、
前記電子機器の前記第１の外面を構成する第１面部と、
前記電子機器の第２の外面を構成する第２面部と、
前記電子機器の第３の外面を構成する第３面部と、
を有していることを特徴とする電子機器の取り外し可能カバー。